(57)【特許請求の範囲】
【請求項１】
中央に形成された開口部の口縁にマンホール蓋を支承する蓋受部を備え、かつ該蓋受部の外周に外側方に突出する鍔縁部とを備えてなり、上下方向の保持用螺子杆を複数備えた位置保持手段により、コンクリートの打設時に所定高さ位置に保持される蓋受枠であって、前記鍔縁部に、前記保持用螺子杆が挿通される複数の透孔または切り欠き溝が形成された蓋受枠に、タラップを構成する左右側杆の基部が回動可能に枢結されて、該タラップが、蓋受枠内に倒伏する収納位置と、蓋受枠上に起立する起立位置とに変換されるマンホール収納用タラップ装置において、
前記タラップの左右側杆の基部が夫々回動可能に枢結される左右一対のブラケットを備えた支持フレームと、
該支持フレームが着脱可能に取付けられる周壁部を具備し、該周壁部の少なくとも二箇所に、前記鍔縁部の透孔または切り欠き溝に挿通される保持用螺子杆に連結手段を介して連結される連結部が設けられた打込フレームと
を備えてなることを特徴とするマンホール収納用タラップ装置。
【請求項２】
連結手段が、打込フレームの連結部に設けられた、保持用螺子杆が挿通可能な透孔または切り欠き溝であることを特徴とする請求項１記載のマンホール収納用タラップ装置。
【請求項３】
連結手段が、打込フレームの連結部と保持用螺子杆間に介装され、その一端部が連結部に固定されて、その他端部が保持用螺子杆に、該他端部に形成された透孔または切り欠き溝を介して固定される取付部材からなることを特徴とする請求項１記載のマンホール収納用タラップ装置。
【請求項４】
打込フレームの周壁部の内側面が、蓋受枠の開口部の曲率に一致させて円弧状に曲成される一方、支持フレームの外側面が、打込フレームの周壁部の内側面の曲率に一致させて円弧状に曲成されていることを特徴とする請求項１乃至請求項３の何れか１項に記載のマンホール収納用タラップ装置。
【発明の詳細な説明】
【技術分野】
【０００１】
本発明は、マンホールの出入りを容易に行い得るようにするとともに、マンホール内への転落防止機能も備えたマンホール収納用タラップ装置に関する。
【背景技術】
【０００２】
マンホールの開口部に配設される蓋受枠に基部が回動可能に枢結されて、蓋受枠内に倒伏する収納位置と、蓋受枠上に起立する起立位置とに変換されるタラップを備えたマンホール収納用タラップ装置が知られている（例えば、非特許文献１参照）。
【０００３】
この種のマンホール収納用タラップ装置ａは、図９に示すように、左右側杆ｃ，ｃと該左右側杆ｃ，ｃを繋ぐ横杆ｄを備えたタラップｂと、該左右側杆ｃ，ｃの基部が回動可能に枢結される左右一対のブラケットｆ，ｆを備えた打込フレームｅとからなり、該打込フレームｅの両端部には夫々先端部に上下方向の透孔ｈが形成された取付片部ｇ，ｇが突成されている。ここで、左右側杆ｃ，ｃの基部とブラケットｆ，ｆは、側方から挿通されるボルトｊ，ｊと該ボルトｊ，ｊの突出端に螺合されるナットｋ，ｋとによって着脱可能に連結されており、左右側杆ｃ，ｃはボルトｊ，ｊを軸として上下方向に回動可能となっている。
【０００４】
また、蓋受枠ｍは、図１０に示すように、中央に形成された開口部ｖの口縁にマンホール蓋（図示省略）を支承する蓋受部ｎを備え、かつ該蓋受部ｎの外周に外側方に突出する鍔縁部ｐを備えており、該鍔縁部ｐには、前記打込フレームｅの取付片部ｇ，ｇの透孔ｈに対応する位置に上下方向の挿通孔ｓ，ｓ（図１０，図１１参照）が形成されている。そして、鍔縁部ｐの裏面に取付片部ｇ，ｇを宛がって、該鍔縁部ｐの挿通孔ｓ，ｓに取付片部ｇ，ｇの透孔ｈ，ｈを一致させた状態で、図１１に示すように、各挿通孔ｓ及び透孔ｈにボルトｔを挿通し、その突出端に螺合したナットｕを緊締させることにより、蓋受枠ｍにマンホール収納用タラップ装置ａを取付け得るようになっている。そして、このように、蓋受枠ｍにマンホール収納用タラップ装置ａを取付けると、図１０に示すように、蓋受枠ｍの開口部ｖ内に、打込フレームｅのブラケットｆ，ｆが突出する状態となるように構成されている。
【０００５】
一方、図１２に示すように、蓋受枠ｍの施工は、鍔縁部ｐに形成されている複数の透孔ｗ（図１０参照）の位置に一致させて型枠パネルｘ上に立設した複数の保持用螺子杆ｙにナットｚを螺合させた状態で、各透孔ｗに保持用螺子杆ｙを下方から挿通させ、前記ナットｚの螺進作用を介して蓋受枠ｍの高さ調整を行った後、各保持用螺子杆ｙの上部から螺合させたナットｉの緊締作用を介して蓋受枠ｍの位置保持を行い、しかる後、蓋受枠ｍの開口部ｖ内に該開口部ｖの内径に一致する型枠筒ｑを装入し、その固定及び養生を行った状態で周囲にコンクリートｒを打設するようにしている（非特許文献１参照）。
【非特許文献１】福西鋳物株式会社発行、「 '０７総合カタログ」、P.61、P.143
【発明の開示】
【発明が解決しようとする課題】
【０００６】
ところで、マンホールにあっては、蓋受枠ｍに上述したマンホール収納用タラップ装置ａが必ず取付けられるものではなく、該マンホール収納用タラップ装置ａはオプション品として標準仕様の蓋受枠ｍに取付けられる。ところが、この標準仕様の蓋受枠ｍには、マンホール収納用タラップ装置ａを取付けるための挿通孔ｓ，ｓ（図１０，図１１参照）が形成されていないため、注文を受ける毎に、蓋受枠ｍの鍔縁部ｐに挿通孔ｓ，ｓを形成し、マンホール収納用タラップ装置ａを取付けた状態で出荷している。しかしながら、この挿通孔ｓ，ｓの孔加工は、打込フレームｅの取付片部ｇ，ｇの透孔ｈ，ｈに正確に一致する位置に施さなければならないため、極めて面倒で手間が掛かるという問題点があった。
【０００７】
一方、蓋受枠ｍの施工時においては、上述したように、蓋受枠ｍの高さ調整を行った後、該蓋受枠ｍの開口部ｖ内に型枠筒ｑを装入した状態でその周囲にコンクリートｒが打設されるのであるが、この際、タラップｂはボルトｊ，ｊとナットｋ，ｋによる連結を解除することにより、打込フレームｅから取り外せるものの、打込フレームｅに一体形成されているブラケットｆ，ｆは蓋受枠ｍの開口部ｖ内に突出した状態となる。従って、このような打込フレームｅが取付けられた蓋受枠ｍを施工するには、前記型枠筒ｑにブラケットｆ，ｆを挿通させるための開口を形成しなければならない上、該開口にブラケットｆ，ｆを挿通させた後、ガムテープで隙間を塞ぐ必要があるため、施工が面倒で手間が掛かるという問題点があった。
【０００８】
本発明は、かかる従来の問題点を解消し得るマンホール収納用タラップ装置を提供することを目的とするものである。
【課題を解決するための手段】
【０００９】
本発明は、中央に形成された開口部の口縁にマンホール蓋を支承する蓋受部を備え、かつ該蓋受部の外周に外側方に突出する鍔縁部とを備えてなり、上下方向の保持用螺子杆を複数備えた位置保持手段により、コンクリートの打設時に所定高さ位置に保持される蓋受枠であって、前記鍔縁部に、前記保持用螺子杆が挿通される複数の透孔または切り欠き溝が形成された蓋受枠に、タラップを構成する左右側杆の基部が回動可能に枢結されて、該タラップが、蓋受枠内に倒伏する収納位置と、蓋受枠上に起立する起立位置とに変換されるマンホール収納用タラップ装置において、前記タラップの左右側杆の基部が夫々回動可能に枢結される左右一対のブラケットを備えた支持フレームと、該支持フレームが着脱可能に取付けられる周壁部を具備し、該周壁部の少なくとも二箇所に、前記鍔縁部の透孔または切り欠き溝に挿通される保持用螺子杆に連結手段を介して連結される連結部が設けられた打込フレームとを備えてなることを特徴とするマンホール収納用タラップ装置である。
【００１０】
このマンホール収納用タラップ装置にあって、前記連結手段が、打込フレームの連結部に設けられた、保持用螺子杆が挿通可能な透孔または切り欠き溝である構成が提案される。ここで、連結手段としての透孔または切り欠き溝は、平面視円形を呈する鍔縁部の周縁に所定間隔で形成された保持用螺子杆挿通用の透孔または切り欠き溝の形成位置に一致させて設けられる。
【００１１】
また、前記連結手段が、打込フレームの連結部と保持用螺子杆間に介装され、その一端部が連結部に固定されて、その他端部が保持用螺子杆に、該他端部に形成された透孔または切り欠き溝を介して固定される取付部材からなる構成が提案される。ここで、連結手段としての取付部材は、他端部の透孔または切り欠き溝が、平面視矩形を呈する鍔縁部の角部近傍に形成された保持用螺子杆挿通用の透孔の形成位置に一致させて設けられる。
【００１２】
さらに、打込フレームの周壁部の内側面が、蓋受枠の開口部の曲率に一致させて円弧状に曲成される一方、支持フレームの外側面が、打込フレームの周壁部の内側面の曲率に一致させて円弧状に曲成されている構成が提案される。
【発明の効果】
【００１３】
本発明にかかるマンホール収納用タラップ装置は、上述したように、タラップの左右側杆の基部が夫々回動可能に枢結される左右一対のブラケットを備えた支持フレームと、該支持フレームが着脱可能に取付けられる周壁部を具備し、該周壁部の少なくとも二箇所に、鍔縁部の透孔または切り欠き溝に挿通される保持用螺子杆に連結手段を介して連結される連結部が設けられた打込フレームとを備えてなるので、コンクリートの打設時に、鍔縁部の透孔または切り欠き溝に挿通される保持用螺子杆に対して、連結手段を介して打込フレームの連結部を連結させることにより、該打込フレームを保持することができる。これにより、従来構成のように、蓋受枠にマンホール収納用タラップ装置を取付けるための挿通孔ｓ，ｓ（図１０，図１１参照）を形成する必要がなく、その面倒な孔加工の手間を解消することができる。
【００１４】
前記連結手段が、打込フレームの連結部に設けられた、保持用螺子杆が挿通可能な透孔または切り欠き溝である構成にあっては、平面視円形を呈する鍔縁部の周縁に保持用螺子杆挿通用の透孔または切り欠き溝を備えた蓋受枠を、保持用螺子杆によって位置保持する場合に、該保持用螺子杆に対して連結部を連結することができる。
【００１５】
また、前記連結手段が、打込フレームの連結部と保持用螺子杆間に介装され、その一端部が連結部に固定されて、その他端部が保持用螺子杆に、該他端部に形成された透孔または切り欠き溝を介して固定される取付部材からなる構成にあっては、平面視矩形を呈する鍔縁部の角部近傍に保持用螺子杆挿通用の透孔を備えた蓋受枠を、保持用螺子杆によって位置保持する場合に、該保持用螺子杆に取付部材を介して連結部を連結することができる。
【００１６】
また、打込フレームの周壁部の内側面が、蓋受枠の開口部の曲率に一致させて円弧状に曲成される一方、支持フレームの外側面が、打込フレームの周壁部の内側面の曲率に一致させて円弧状に曲成されている構成にあっては、コンクリートの打設時に、打込フレームから支持フレームを取り外すと、打込フレームの周壁部の内側面が、蓋受枠の開口部の曲率に一致させて円弧状に曲成されていることにより、蓋受枠の開口部内に打込フレームが突出することがない。これにより、従来構成のように、蓋受枠の開口部内に型枠筒を装入する際にブラケットを挿通させるための開口を形成する必要がなく、その施工を迅速かつ容易に行うことができる。また、打設したコンクリートの硬化後に、再び打込フレームに支持フレームを取付けるに際して、支持フレームの外側面が、打込フレームの周壁部の内側面の曲率に一致させて円弧状に曲成されていることにより、打込フレームの周壁部の内側面と支持フレームの外側面とが面接触し、この状態で複数のボルトにより支持フレームを打込フレームに固定し得るので、安定した取付状態とすることができる。
【発明を実施するための最良の形態】
【００１７】
本発明の第一実施例を、図１〜図５に基づいて説明する。
この第一実施例にかかるマンホール収納用タラップ装置１Ａは、平面視円形を呈する鍔縁部５を備えた蓋受枠２Ａ（図３参照）に適用し得るものである。
【００１８】
前記蓋受枠２Ａは、図３に示すように、中央に形成された人の出入りが可能な円形の開口部３の口縁にマンホール蓋７（図４参照）を支承する蓋受部４を備えており、該蓋受部４の外周に平面視円形を呈する鍔縁部５が外側方に向けて所定幅で突出されている。この蓋受枠２Ａは、後述するように、コンクリートの打設時に上下方向の保持用螺子杆２８（図５参照）を複数備えた位置保持手段によって型枠パネル２７上で所定高さ位置に保持されるが、前記鍔縁部５には、その保持用螺子杆２８が挿通可能な複数の切り欠き溝６が周方向に沿って所定間隔で形成されている。尚、該切り欠き溝６は、図示されているように必ずしも外方に開口している必要はなく、鍔縁部５の表裏を貫通する透孔であってもよい。
【００１９】
一方、マンホール収納用タラップ装置１Ａは、図１，図２に示すように、左右側杆９，９と該左右側杆９，９を繋ぐ横杆１０とにより略梯子形に形成されたタラップ８と、該タラップ８の左右側杆９，９の基部が夫々回動可能に枢結される、上下方向に延在する左右一対のブラケット１２，１２を備えた支持フレーム１１と、該支持フレーム１１が複数のボルト１６により着脱可能に取付けられる周壁部１４を具備し、該周壁部１４の少なくとも二箇所に、前記鍔縁部５の切り欠き溝６に挿通される保持用螺子杆２８に連結手段を介して連結される連結部１５，１５が設けられた打込フレーム１３とを備えている。
【００２０】
タラップ８を構成する左右側杆９，９の基部には、該左右側杆９，９の長手方向に沿う長孔１７，１７（図２参照）が形成されており、前記支持フレーム１１のブラケット１２，１２にはボルト１９，１９が挿通される挿通孔１８，１８が形成されている。そして、該挿通孔１８，１８と前記長孔１７，１７とに側方から挿通されるボルト１９，１９と該ボルト１９，１９の突出端に螺合されるナット２０，２０とによって、ブラケット１２，１２に対して左右側杆９，９の基部が回動可能に枢結されており、前記ボルト１９，１９を軸として上下方向に回動するタラップ８が、蓋受枠２Ａ内に倒伏する収納位置と、蓋受枠２Ａ上に起立する起立位置とに変換可能となっている。
【００２１】
また、前記ブラケット１２，１２には、上方に開口した係合溝２１，２１が形成されており、左右側杆９，９の基部近傍の内側面には、該係合溝２１，２１に上方から係合可能なストッパー部材２２，２２が突設されている。そして、図２に鎖線で示すように、タラップ８が起立位置に変換されて、長孔１７，１７により上下動可能となる左右側杆９，９が降下すると、ストッパー部材２２，２２がブラケット１２，１２の係合溝２１，２１に係合されて、その起立状態が保持されるようになっている。ここで、上下方向に延在するブラケット１２，１２の先端上部には、前記ボルト１９を中心とするＲ形状の円弧状案内面２３，２３が設けられており、タラップ８の回動時にストッパー部材２２，２２の端部が当接することによって、タラップ８を円滑に回動させる案内作用が得られるようになっている。また、前記ブラケット１２，１２の先端下部には支持縁２４，２４が側方に突成されており、該支持縁２４，２４に倒伏したタラップ８の左右側杆９，９の下面を当接させることにより、該タラップ８が略水平に保持されるようになっている。
【００２２】
前記打込フレーム１３の周壁部１４は、その内側面が、前記蓋受枠２Ａの開口部３の曲率に一致させて円弧状に曲成されており、また、支持フレーム１１の外側面は、前記周壁部１４の内側面の曲率に一致させて円弧状に曲成されている。支持フレーム１１は、その外側面を打込フレーム１３の周壁部１４の内側面に当接させた状態で、支持フレーム１１側から打込フレーム１３に螺合される複数のボルト１６によって打込フレーム１３の周壁部１４に対して着脱可能に取付けられている。打込フレーム１３の周壁部１４には、その両端部の二箇所に、前記鍔縁部５の切り欠き溝６に挿通される保持用螺子杆２８（図５参照）と連結される連結部１５，１５が設けられており、該連結部１５，１５には、保持用螺子杆２８が挿通可能な切り欠き溝２５，２５が形成されている。そして、この第一実施例では、該切り欠き溝２５，２５によって、連結部１５，１５を保持用螺子杆２８，２８に連結させる連結手段が構成されている。尚、この連結手段は、図示されているように必ずしも外方に開口している切り欠き溝２５である必要はなく、連結部１５の表裏を貫通する透孔であってもよい。また、連結部１５，１５には、ボルトの頭部を収納し得る下方に窪んだ凹部２６，２６が形成されており、該凹部２６，２６の底壁部に前記切り欠き溝（または透孔）２５，２５が形成されている。そして、連結部１５，１５をこのような凹部２６，２６を備えた形態とすることによって、打込フレーム１３を後述する第二実施例でも共用し得るようになっている。また、連結部１５，１５の切り欠き溝（または透孔）２５，２５は、打込フレーム１３の周壁部１４の内側面を蓋受枠２Ａの開口部３の口縁に上下で一致するように配設すると、鍔縁部５に形成された二箇所の切り欠き溝（または透孔）６，６に上下で一致する位置に設けられている。
【００２３】
かかる構成にあって、蓋受枠２Ａの施工に際しては、ボルト１６（図１参照）による連結を解除して、打込フレーム１３から支持フレーム１１とタラップ８を一旦取り外し、図５に示すように、該打込フレーム１３を蓋受枠２Ａの下面に宛がい、鍔縁部５に形成されている複数の切り欠き溝（または透孔）６の位置に一致させて型枠パネル２７上に立設した複数の保持用螺子杆２８にナット２９を螺合させた状態で、打込フレーム１３の連結部１５，１５の切り欠き溝（または透孔）２５，２５及び鍔縁部５の切り欠き溝（または透孔）６，６に保持用螺子杆２８，２８を下方から挿通させ、前記ナット２９の螺進作用を介して蓋受枠２Ａの高さ調整を行った後、各保持用螺子杆２８の上部からナット３０を螺合して緊締することにより、蓋受枠２Ａとともに打込フレーム１３を所定高さ位置に保持することができる。この時、打込フレーム１３の周壁部１４の内側面が蓋受枠２Ａの開口部３の口縁に上下で一致する状態となる。次いで、蓋受枠２Ａの開口部３内に該開口部３の内径に一致するボイド管からなる型枠筒３１を装入し、釘３９による該型枠筒３１の固定及び養生材３２による蓋受部４の養生を行った状態で周囲にコンクリート４０を打設する。
【００２４】
尚、前記型枠パネル２７，保持用螺子杆２８，ナット２９及びナット３０により、コンクリートの打設時に蓋受枠２Ａを所定高さ位置に保持する位置保持手段が構成されている。
【００２５】
前記コンクリートの硬化後に、型枠パネル２７及び型枠筒３１を除去すると、蓋受枠２Ａと打込フレーム１３とが硬化したコンクリートによって固定されるとともに、型枠筒３１によって形成されたコンクリートの内周壁面に打込フレーム１３の周壁部１４の内側面が露出する状態となる。そして、この周壁部１４の内側面に支持フレーム１１の外側面を宛がった状態で、支持フレーム１１側から複数のボルト１６を打込フレーム１３に螺合して支持フレーム１１を打込フレーム１３に取付けることにより、図４に示すように、蓋受枠２Ａ内にタラップ８を配設することができる。
【００２６】
このように、第一実施例の構成にあっては、コンクリートの打設時に、平面視円形を呈する鍔縁部５を備えた蓋受枠２Ａにあって、該鍔縁部５の切り欠き溝（または透孔）６に挿通される保持用螺子杆２８に対して、連結手段を介して打込フレーム１３の連結部１５，１５を連結させることにより、該打込フレーム１３を保持することができる。これにより、従来構成のように、蓋受枠ｍにマンホール収納用タラップ装置を取付けるための挿通孔ｓ，ｓ（図１０，図１１参照）を形成する必要がなく、その面倒な孔加工の手間を解消することができる。
【００２７】
また、打込フレーム１３の周壁部１４の内側面が、蓋受枠２Ａの開口部３の曲率に一致させて円弧状に曲成されていることにより、コンクリートの打設時に、蓋受枠２Ａの開口部３内に打込フレーム１３が突出することがない。これにより、従来構成のように、蓋受枠２Ａの開口部３内に装入される型枠筒３１にブラケット１２，１２を挿通させるための開口を形成する必要がなく、その施工を迅速かつ容易に行うことができる。また、打設したコンクリートの硬化後に、再び打込フレーム１３に支持フレーム１１を取付けるに際して、支持フレーム１１の外側面が、打込フレーム１３の周壁部１４の内側面の曲率に一致させて円弧状に曲成されていることにより、打込フレーム１３の周壁部１４の内側面と支持フレーム１１の外側面とが面接触し、この状態で複数のボルト１６により支持フレーム１１を打込フレーム１３に固定し得るので、安定した取付状態とすることができる。
【００２８】
図６〜図８は第二実施例を示し、この第二実施例にかかるマンホール収納用タラップ装置１Ｂは、平面視矩形を呈する鍔縁部５を備えた蓋受枠２Ｂ（図７参照）に適用し得るものである。
【００２９】
前記蓋受枠２Ｂは、図７に示すように、中央に形成された人の出入りが可能な円形の開口部３の口縁にマンホール蓋７（図４参照）を支承する蓋受部４を備えており、該蓋受部４の外周に平面視矩形を呈する鍔縁部５が外側方に向けて突成されている。この鍔縁部５の各角部近傍には、コンクリートの打設時に蓋受枠２Ｂを所定高さ位置に保持する位置保持手段の保持用螺子杆２８（図８参照）が挿通可能な透孔３３が夫々形成されている。尚、該透孔３３は、図示されているように必ずしも円形である必要はなく、外方に開口する切り欠き溝であってもよい。
【００３０】
一方、マンホール収納用タラップ装置１Ｂは、図６，図８に示すように、第一実施例と同じ打込フレーム１３の周壁部１４に設けられた連結部１５，１５に固定される帯板状の取付部材３４、３４を備えている。各取付部材３４は、その一端部にボルト３５が挿通可能な透孔３６が形成されており、該透孔３６と連結部１５の切り欠き溝２５とに挿通したボルト３５の突出端に螺合されるナット３７の緊締を介して各取付部材３４の一端部が連結部１５，１５に固定されている。また、各取付部材３４の他端部には前記鍔縁部５の透孔（または切り欠き溝）３３に挿通される保持用螺子杆２８が挿通可能な長孔からなる透孔３８が形成されている。そして、この第二実施例では、該取付部材３４，３４によって、連結部１５，１５を保持用螺子杆２８，２８に連結させる連結手段が構成されている。尚、取付部材３４の他端部に形成される透孔３８は、図示されているように必ずしも長円形である必要はなく、外方に開口する切り欠き溝であってもよい。その他、第一実施例と共通する構成部分については第一実施例と同一の符号を付して重複説明を省略する。
【００３１】
かかる構成にあって、蓋受枠２Ｂの施工に際しては、図８に示すように、取付部材３４，３４の他端部に形成された透孔（または切り欠き溝）３８，３８及び鍔縁部５の透孔（または切り欠き溝）３３，３３に保持用螺子杆２８，２８を下方から挿通させ、ナット２９の螺進作用を介して蓋受枠２Ｂの高さ調整を行った後、各保持用螺子杆２８の上部からナット３０を螺合して緊締することにより、蓋受枠２Ｂとともに打込フレーム１３を所定高さ位置に保持することができる。これにより、平面視矩形を呈する鍔縁部５を備えた蓋受枠２Ｂにあっても、該鍔縁部５の透孔（または切り欠き溝）３３に挿通される保持用螺子杆２８に対して、連結手段を介して打込フレーム１３の連結部１５，１５を連結させることができ、従来構成のように、蓋受枠ｍにマンホール収納用タラップ装置を取付けるための挿通孔ｓ，ｓ（図１０，図１１参照）を形成する必要がなく、その面倒な孔加工の手間を解消することができる。
【図面の簡単な説明】
【００３２】
【図１】第一実施例にかかるマンホール収納用タラップ装置１Ａの平面図である。
【図２】同上のマンホール収納用タラップ装置１Ａと蓋受枠２Ａの側断面図である。
【図３】同上のマンホール収納用タラップ装置１Ａと蓋受枠２Ａの一部切欠平面図である。
【図４】同上のマンホール収納用タラップ装置１Ａと蓋受枠２Ａの施工完了状態を示す側断面図である。
【図５】同上のマンホール収納用タラップ装置１Ａと蓋受枠２Ａの施工説明図である。
【図６】第二実施例にかかるマンホール収納用タラップ装置１Ｂと蓋受枠２Ｂの底面図である。
【図７】同上のマンホール収納用タラップ装置１Ｂと蓋受枠２Ｂの平面図である。
【図８】同上のマンホール収納用タラップ装置１Ｂと蓋受枠２Ｂの施工説明図である。
【図９】従来構成のマンホール収納用タラップ装置ａの平面図である。、（Ｂ）は該マンホール収納用タラップ装置ａを備えた蓋受枠ｍの平面図である。
【図１０】従来構成のマンホール収納用タラップ装置ａを備えた蓋受枠ｍの平面図である。
【図１１】同上の蓋受枠ｍの鍔縁部ｐと打込フレームｅの取付片部ｇとの連結部分を示す、図１０におけるＡ−Ａ断面図である。
【図１２】同上の蓋受枠ｍの施工説明図である。
【符号の説明】
【００３３】
１Ａ，１Ｂ  マンホール収納用タラップ装置
２Ａ，２Ｂ  蓋受枠
３  開口部
４  蓋受部
５  鍔縁部
６  切り欠き溝
７  マンホール蓋
８  タラップ
９  左右側杆
１１  支持フレーム
１２  ブラケット
１３  打込フレーム
１４  周壁部
１５  連結部
２５  切り欠き溝（連結手段）
２８  保持用螺子杆
３３  透孔
３４  取付部材（連結手段）
３８  透孔  
【図１】
0004712057.tif 000002
【図２】
0004712057.tif 000003
【図３】
0004712057.tif 000004
【図４】
0004712057.tif 000005
【図５】
0004712057.tif 000006
【図６】
0004712057.tif 000007
【図７】
0004712057.tif 000008
【図８】
0004712057.tif 000009
【図９】
0004712057.tif 000010
【図１０】
0004712057.tif 000011
【図１１】
0004712057.tif 000012
【図１２】
0004712057.tif 000013